(57)【要約】      （修正有）【課題】各宛先に関する誤登録を抑制することが可能な技術を提供する。【解決手段】ＭＦＰ１０は、当該ＭＦＰ１０に対するユーザＵＡの認証用情報（ログイン情報）の入力をユーザＵＡから受け付けた後、アドレス帳への宛先登録に際して登録対象の宛先に関する登録用情報の入力をユーザＵＡから受け付ける。ＭＦＰ１０は、ログイン情報と入力された登録用情報に含まれる宛先特定用情報とを用いて、宛先に対するログインアクセスを試行する。ログイン情報による当該宛先に対するログインアクセスが成功した場合には、当該宛先の将来の利用時にＭＦＰ１０にログインしているログインユーザのＭＦＰ１０に対するログイン情報を当該宛先の将来の利用時における当該宛先に対するログインアクセスに使用する旨を、当該宛先のログイン情報としてアドレス帳に登録する。【選択図】図４
2015052910.tif 000002
【特許請求の範囲】
【請求項１】
画像形成装置であって、
前記画像形成装置に対する第１のユーザの認証用情報である第１のログイン情報の入力を前記第１のユーザから受け付ける認証情報受付手段と、
前記第１のログイン情報の入力に応じた前記第１のユーザのログイン中において、アドレス帳への宛先登録に際して登録対象の宛先に関する登録用情報の入力を前記第１のユーザから受け付ける登録用情報受付手段と、
前記第１のログイン情報と前記登録用情報に含まれる宛先特定用情報とを用いて前記宛先に対するログインアクセスを試行するログイン試行手段と、
前記登録用情報に基づいて前記アドレス帳に対する前記宛先の登録動作を実行する登録手段と、
を備え、
前記登録手段は、前記第１のログイン情報による前記宛先に対する前記ログインアクセスの試行が成功した場合には、前記宛先の将来の利用時に前記画像形成装置にログインしているログインユーザの前記画像形成装置に対するログイン情報を前記宛先の将来の利用時における前記宛先に対するログインアクセスに使用する旨を、前記宛先のログイン情報として前記アドレス帳に登録することを特徴とする画像形成装置。
【請求項２】
請求項１に記載の画像形成装置において、
前記アドレス帳に登録された前記宛先に対する電子ファイルの送信動作が第２のユーザにより実行される場合において、前記宛先に関して前記アドレス帳に登録された情報に基づき、前記宛先に対する前記送信動作時に前記画像形成装置にログインしているログインユーザである前記第２のユーザの前記画像形成装置に対するログイン情報を使用して、前記宛先に対するログインアクセスを実行するアクセス制御手段、
をさらに備えることを特徴とする画像形成装置。
【請求項３】
請求項１または請求項２に記載の画像形成装置において、
前記宛先の登録動作に際して、前記宛先に関する登録内容を確認するための確認画面を表示する表示制御手段、
をさらに備えることを特徴とする画像形成装置。
【請求項４】
請求項１ないし請求項３のいずれかに記載の画像形成装置において、
前記アドレス帳は、前記画像形成装置内に登録されるものであることを特徴とする画像形成装置。
【請求項５】
請求項１ないし請求項３のいずれかに記載の画像形成装置において、
前記アドレス帳は、前記画像形成装置の外部装置に登録されるものであることを特徴とする画像形成装置。
【請求項６】
画像形成装置に内蔵されたコンピュータに、
ａ）前記画像形成装置に対する第１のユーザの認証用情報である第１のログイン情報の入力を前記第１のユーザから受け付けるステップと、
ｂ）前記第１のログイン情報の入力に応じた前記第１のユーザのログイン中において、アドレス帳への宛先登録に際して登録対象の宛先に関する登録用情報の入力を前記第１のユーザから受け付けるステップと、
ｃ）前記第１のログイン情報と前記登録用情報に含まれる宛先特定用情報とを用いて前記宛先に対するログインアクセスを試行するステップと、
ｄ）前記登録用情報に基づいて前記アドレス帳に対する前記宛先の登録動作を実行するステップと、
を実行させるためのプログラムであって、
前記ステップｄ）は、
ｄ−１）前記第１のログイン情報による前記宛先に対する前記ログインアクセスの試行が成功した場合には、前記宛先の将来の利用時に前記画像形成装置にログインしているログインユーザの前記画像形成装置に対するログイン情報を前記宛先の将来の利用時における前記宛先に対するログインアクセスに使用する旨を、前記宛先のログイン情報として前記アドレス帳に登録するステップ、
を有することを特徴とするプログラム。
【請求項７】
画像形成装置であって、
前記画像形成装置に対する第１のユーザの認証用情報である第１のログイン情報の入力を前記第１のユーザから受け付ける認証情報受付手段と、
前記第１のログイン情報の入力に応じた前記第１のユーザのログイン中において、アドレス帳への宛先登録に際して登録対象の宛先に関する登録用情報の入力を前記第１のユーザから受け付ける登録用情報受付手段と、
前記登録用情報に基づいて前記アドレス帳に対する前記宛先の登録動作を実行する登録手段と、
を備え、
前記登録手段は、前記第１のログイン情報と前記登録用情報に含まれる第２のログイン情報とが同一である場合には、前記宛先の将来の利用時に前記画像形成装置にログインしているログインユーザの前記画像形成装置に対するログイン情報を前記宛先の将来の利用時における前記宛先に対するログインアクセスに使用する旨を、前記宛先のログイン情報として前記アドレス帳に登録することを特徴とする画像形成装置。
【請求項８】
請求項７に記載の画像形成装置において、
前記アドレス帳に登録された前記宛先に対する電子ファイルの送信動作が第２のユーザにより実行される場合において、前記宛先に関して前記アドレス帳に登録された情報に基づき、前記宛先に対する前記送信動作時に前記画像形成装置にログインしているログインユーザである前記第２のユーザの前記画像形成装置に対するログイン情報を使用して、前記宛先に対するログインアクセスを実行するアクセス制御手段、
をさらに備えることを特徴とする画像形成装置。
【請求項９】
請求項７または請求項８に記載の画像形成装置において、
前記宛先の登録動作に際して、前記宛先に関する登録内容を確認するための確認画面を表示する表示制御手段、
をさらに備えることを特徴とする画像形成装置。
【請求項１０】
請求項７ないし請求項９のいずれかに記載の画像形成装置において、
前記アドレス帳は、前記画像形成装置内に登録されるものであることを特徴とする画像形成装置。
【請求項１１】
請求項７ないし請求項９のいずれかに記載の画像形成装置において、
前記アドレス帳は、前記画像形成装置の外部装置に登録されるものであることを特徴とする画像形成装置。
【請求項１２】
画像形成装置に内蔵されたコンピュータに、
ａ）前記画像形成装置に対する第１のユーザの認証用情報である第１のログイン情報の入力を前記第１のユーザから受け付けるステップと、
ｂ）前記第１のログイン情報の入力に応じた前記第１のユーザのログイン中において、アドレス帳への宛先登録に際して登録対象の宛先に関する登録用情報の入力を前記第１のユーザから受け付けるステップと、
ｃ）前記登録用情報に基づいて前記アドレス帳に対する前記宛先の登録動作を実行するステップと、
を実行させるためのプログラムであって、
前記ステップｃ）は、
ｃ−１）前記第１のログイン情報と前記登録用情報に含まれる第２のログイン情報とが同一である場合には、前記宛先の将来の利用時に前記画像形成装置にログインしているログインユーザの前記画像形成装置に対するログイン情報を前記宛先の将来の利用時における前記宛先に対するログインアクセスに使用する旨を、前記宛先のログイン情報として前記アドレス帳に登録するステップ、
を有することを特徴とするプログラム。
【発明の詳細な説明】
【技術分野】
【０００１】
本発明は、ＭＦＰ（マルチ・ファンクション・ペリフェラル（Multi-Functional Peripheral））などの画像形成装置およびそれに関連する技術に関する。
【背景技術】
【０００２】
画像形成装置においては、サーバ等の通信先装置に対する通信動作（スキャン画像の送信動作等）が行われる際に、アドレス帳に予め登録された宛先リストから所望の宛先が操作ユーザによって選択される。そして、選択操作によって選択された当該宛先に対する通信動作が行われる。ここで、アドレス帳としては、個人専用のアドレス帳のみならず、複数の人物で共用されるアドレス帳（共用アドレス帳とも称する）も存在する。
【０００３】
このようなアドレス帳における宛先の登録動作は、当該通信動作に先立って予めユーザによって行われる。
【先行技術文献】
【特許文献】
【０００４】
【特許文献１】特開２０１１−２３２８８４号公報
【発明の概要】
【発明が解決しようとする課題】
【０００５】
ところで、このような共用アドレス帳に所望の通信先（宛先）が宛先登録される際には、共用アドレス帳に対する宛先登録動作を行う第１のユーザ（登録ユーザ）が、当該宛先のログイン情報として自らのログイン情報を共用のアドレス帳に誤って登録してしまうことがある。そして、この場合には、次のような問題が生じる。
【０００６】
具体的には、第１のユーザ（登録ユーザ）によって入力されたログイン情報がそのまま当該宛先のログイン情報としてアドレス帳に固定的に登録されてしまうと、その後に第２のユーザ（使用ユーザ）がログインして当該宛先に対する通信動作が行われる際には、当該宛先のログイン情報として当該アドレス帳に予め登録された第１のユーザのログイン情報がそのまま利用される。その結果、第２のユーザが第１のユーザとして誤って認証されてしまうなどの問題が発生する。端的に言えば、誤登録の問題、および当該誤登録に起因する誤認証の問題が存在する。
【０００７】
なお、上記特許文献１には、第１の認証用のユーザ認証情報を用いて第２の認証のための処理を実行するか、第１の認証用のユーザ認証情報を用いずに第２の認証のための処理を実行するかを、送信プロトコル（ＳＭＴＰ、ＳＭＢ／ＦＴＰ）に応じて選択する技術が記載されている（特許文献１の段落００８４等参照）。この特許文献１の技術は、送信プロトコルごとに認証手法を切り換えて設定する技術である。しかしながら、同じ送信プロトコルを利用する通信であっても異なる通信先（宛先）に対する通信においては、採用すべき認証手法は互いに異なっている。そのため、特許文献１に記載の技術では、宛先ごとに認証手法を適切に設定することができない。
【０００８】
そこで、本発明は、アドレス帳の登録に関して各宛先に関する誤登録を抑制することが可能な技術を提供することを課題とする。
【課題を解決するための手段】
【０００９】
上記課題を解決すべく、請求項１の発明は、画像形成装置であって、前記画像形成装置に対する第１のユーザの認証用情報である第１のログイン情報の入力を前記第１のユーザから受け付ける認証情報受付手段と、前記第１のログイン情報の入力に応じた前記第１のユーザのログイン中において、アドレス帳への宛先登録に際して登録対象の宛先に関する登録用情報の入力を前記第１のユーザから受け付ける登録用情報受付手段と、前記第１のログイン情報と前記登録用情報に含まれる宛先特定用情報とを用いて前記宛先に対するログインアクセスを試行するログイン試行手段と、前記登録用情報に基づいて前記アドレス帳に対する前記宛先の登録動作を実行する登録手段と、を備え、前記登録手段は、前記第１のログイン情報による前記宛先に対する前記ログインアクセスの試行が成功した場合には、前記宛先の将来の利用時に前記画像形成装置にログインしているログインユーザの前記画像形成装置に対するログイン情報を前記宛先の将来の利用時における前記宛先に対するログインアクセスに使用する旨を、前記宛先のログイン情報として前記アドレス帳に登録することを特徴とする。
【００１０】
請求項２の発明は、請求項１の発明に係る画像形成装置において、前記アドレス帳に登録された前記宛先に対する電子ファイルの送信動作が第２のユーザにより実行される場合において、前記宛先に関して前記アドレス帳に登録された情報に基づき、前記宛先に対する前記送信動作時に前記画像形成装置にログインしているログインユーザである前記第２のユーザの前記画像形成装置に対するログイン情報を使用して、前記宛先に対するログインアクセスを実行するアクセス制御手段、をさらに備えることを特徴とする。
【００１１】
請求項３の発明は、請求項１または請求項２の発明に係る画像形成装置において、前記宛先の登録動作に際して、前記宛先に関する登録内容を確認するための確認画面を表示する表示制御手段、をさらに備えることを特徴とする。
【００１２】
請求項４の発明は、請求項１ないし請求項３のいずれかの発明に係る画像形成装置において、前記アドレス帳は、前記画像形成装置内に登録されるものであることを特徴とする。
【００１３】
請求項５の発明は、請求項１ないし請求項３のいずれかの発明に係る画像形成装置において、前記アドレス帳は、前記画像形成装置の外部装置に登録されるものであることを特徴とする。
【００１４】
請求項６の発明は、画像形成装置に内蔵されたコンピュータに、ａ）前記画像形成装置に対する第１のユーザの認証用情報である第１のログイン情報の入力を前記第１のユーザから受け付けるステップと、ｂ）前記第１のログイン情報の入力に応じた前記第１のユーザのログイン中において、アドレス帳への宛先登録に際して登録対象の宛先に関する登録用情報の入力を前記第１のユーザから受け付けるステップと、ｃ）前記第１のログイン情報と前記登録用情報に含まれる宛先特定用情報とを用いて前記宛先に対するログインアクセスを試行するステップと、ｄ）前記登録用情報に基づいて前記アドレス帳に対する前記宛先の登録動作を実行するステップと、を実行させるためのプログラムであって、前記ステップｄ）は、ｄ−１）前記第１のログイン情報による前記宛先に対する前記ログインアクセスの試行が成功した場合には、前記宛先の将来の利用時に前記画像形成装置にログインしているログインユーザの前記画像形成装置に対するログイン情報を前記宛先の将来の利用時における前記宛先に対するログインアクセスに使用する旨を、前記宛先のログイン情報として前記アドレス帳に登録するステップ、を有することを特徴とする。
【００１５】
請求項７の発明は、画像形成装置であって、前記画像形成装置に対する第１のユーザの認証用情報である第１のログイン情報の入力を前記第１のユーザから受け付ける認証情報受付手段と、前記第１のログイン情報の入力に応じた前記第１のユーザのログイン中において、アドレス帳への宛先登録に際して登録対象の宛先に関する登録用情報の入力を前記第１のユーザから受け付ける登録用情報受付手段と、前記登録用情報に基づいて前記アドレス帳に対する前記宛先の登録動作を実行する登録手段と、を備え、前記登録手段は、前記第１のログイン情報と前記登録用情報に含まれる第２のログイン情報とが同一である場合には、前記宛先の将来の利用時に前記画像形成装置にログインしているログインユーザの前記画像形成装置に対するログイン情報を前記宛先の将来の利用時における前記宛先に対するログインアクセスに使用する旨を、前記宛先のログイン情報として前記アドレス帳に登録することを特徴とする。
【００１６】
請求項８の発明は、請求項７の発明に係る画像形成装置において、前記アドレス帳に登録された前記宛先に対する電子ファイルの送信動作が第２のユーザにより実行される場合において、前記宛先に関して前記アドレス帳に登録された情報に基づき、前記宛先に対する前記送信動作時に前記画像形成装置にログインしているログインユーザである前記第２のユーザの前記画像形成装置に対するログイン情報を使用して、前記宛先に対するログインアクセスを実行するアクセス制御手段、をさらに備えることを特徴とする。
【００１７】
請求項９の発明は、請求項７または請求項８の発明に係る画像形成装置において、前記宛先の登録動作に際して、前記宛先に関する登録内容を確認するための確認画面を表示する表示制御手段、をさらに備えることを特徴とする。
【００１８】
請求項１０の発明は、請求項７ないし請求項９のいずれかの発明に係る画像形成装置において、前記アドレス帳は、前記画像形成装置内に登録されるものであることを特徴とする。
【００１９】
請求項１１の発明は、請求項７ないし請求項９のいずれかの発明に係る画像形成装置において、前記アドレス帳は、前記画像形成装置の外部装置に登録されるものであることを特徴とする。
【００２０】
請求項１２の発明は、画像形成装置に内蔵されたコンピュータに、ａ）前記画像形成装置に対する第１のユーザの認証用情報である第１のログイン情報の入力を前記第１のユーザから受け付けるステップと、ｂ）前記第１のログイン情報の入力に応じた前記第１のユーザのログイン中において、アドレス帳への宛先登録に際して登録対象の宛先に関する登録用情報の入力を前記第１のユーザから受け付けるステップと、ｃ）前記登録用情報に基づいて前記アドレス帳に対する前記宛先の登録動作を実行するステップと、を実行させるためのプログラムであって、前記ステップｃ）は、ｃ−１）前記第１のログイン情報と前記登録用情報に含まれる第２のログイン情報とが同一である場合には、前記宛先の将来の利用時に前記画像形成装置にログインしているログインユーザの前記画像形成装置に対するログイン情報を前記宛先の将来の利用時における前記宛先に対するログインアクセスに使用する旨を、前記宛先のログイン情報として前記アドレス帳に登録するステップ、を有することを特徴とする。
【発明の効果】
【００２１】
請求項１ないし請求項１２に記載の発明によれば、各宛先に関する誤登録を抑制することが可能である。
【図面の簡単な説明】
【００２２】
【図１】第１実施形態に係る画像形成システムの構成を示す概略図である。
【図２】画像形成装置の機能ブロックを示す図である。
【図３】アドレス帳への宛先登録に関する画像形成装置の動作を示すフローチャートである。
【図４】画像形成システムの概要を示す概念図である。
【図５】ログイン画面（登録時）を示す図である。
【図６】アドレス帳の登録画面を示す図である。
【図７】確認画面を示す図である。
【図８】アドレス帳の登録画面を示す図である。
【図９】確認画面を示す図である。
【図１０】アドレス帳の登録画面を示す図である。
【図１１】確認画面を示す図である。
【図１２】アドレス帳の登録宛先を利用した送信動作を示すフローチャートである。
【図１３】画像形成システムの概要を示す概念図である。
【図１４】ログイン画面（アドレス帳使用時）を示す図である。
【図１５】送信先選択画面を示す図である。
【図１６】結果表示画面を示す図である。
【図１７】送信先選択画面を示す図である。
【図１８】結果表示画面を示す図である。
【図１９】送信先選択画面を示す図である。
【図２０】結果表示画面を示す図である。
【図２１】第２実施形態に係る画像形成装置の機能ブロックを示す図である。
【図２２】アドレス帳への宛先登録に関する画像形成装置の動作を示すフローチャートである。
【図２３】アドレス帳の登録画面を示す図である。
【図２４】追加登録用情報（宛先のログイン情報）の入力画面を示す図である。
【図２５】確認画面を示す図である。
【図２６】アドレス帳の登録画面を示す図である。
【図２７】確認画面を示す図である。
【図２８】変形例に係る画像形成システムの構成を示す概略図である。
【発明を実施するための形態】
【００２３】
以下、本発明の実施形態を図面に基づいて説明する。
【００２４】
＜１．第１実施形態＞
＜１−１．システム構成＞
図１は、本発明の第１実施形態に係る画像形成システム１（１Ａとも称する）の構成を示す概略図である。図１に示されるように、画像形成システム１は、画像形成装置１０（１０Ａとも称する）と当該画像形成装置で形成されたスキャナ画像等を格納する複数のファイルサーバ５０（詳細には５０ａ，５０ｂ）とを備える。
【００２５】
画像形成装置１０とファイルサーバ５０とは、ネットワークＮＷを介して互いに接続される。ネットワークＮＷは、ＬＡＮ（Local Area Network）およびインターネットなどによって構成される。また、ネットワークＮＷに対する接続態様は、有線接続であってもよく、或いは無線接続であってもよい。
【００２６】
＜１−２．画像形成装置の構成＞
図２は、画像形成装置１０の機能ブロックを示す図である。ここでは、画像形成装置１０として、ＭＦＰ（マルチ・ファンクション・ペリフェラル（Multi-Functional Peripheral））を例示する。図２においては、ＭＦＰ１０の機能ブロックが示されている。
【００２７】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００２８】
画像読取部２は、ＭＦＰ１０の所定の位置に載置された原稿を光学的に読み取って（すなわちスキャンして）、当該原稿の画像データ（原稿画像ないしスキャン画像とも称する）を生成（形成）する処理部である。この画像読取部２は、スキャン部であるとも称される。
【００２９】
印刷出力部３は、印刷対象に関するデータに基づいて紙などの各種の媒体に画像を印刷出力する出力部である。
【００３０】
通信部４は、公衆回線等を介したファクシミリ通信を行うことが可能な処理部である。さらに、通信部４は、ネットワーク（通信ネットワーク）ＮＷを介したネットワーク通信を行うことも可能である。このネットワーク通信では、たとえば、ＴＣＰ／ＩＰ（Transmission Control Protocol / Internet Protocol）、ＦＴＰ（File Transfer Protocol）およびＳＭＢ（Server Message Block）等の各種のプロトコルが利用される。当該ネットワーク通信を利用することによって、ＭＦＰ１０は、所望の相手先（たとえば、ファイルサーバ５０）との間で各種のデータを授受することが可能である。通信部４は、各種データを送信する送信部４ａと各種データを受信する受信部４ｂとを有する。
【００３１】
格納部５は、ハードディスクドライブ（ＨＤＤ）等の記憶装置で構成される。格納部５は、アドレス帳ＡＬを格納する。アドレス帳ＡＬには、後述するように、電子ファイルの送信動作で利用される宛先（通信先）に関する各種情報（アドレスおよびログイン情報等等）が登録される。
【００３２】
操作部６は、ＭＦＰ１０に対する操作入力を受け付ける操作入力部６ａと、各種情報の表示出力を行う表示部６ｂとを備えている。
【００３３】
ＭＦＰ１０には、操作部６として機能するタッチパネル２５（図１参照）（操作パネル部とも称される）が設けられている。タッチパネル２５は、液晶表示パネルに圧電センサ等が埋め込まれて構成されており、表示部６ｂの一部として機能するとともに、操作入力部６ａの一部としても機能する。詳細には、タッチパネル２５は、液晶表示パネルに各種の情報を表示することが可能であるとともに、液晶表示パネルに対する操作者の手指の操作位置を検知して、各種の入力を受け付けることも可能である。
【００３４】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）ＰＧ１を実行することによって、各種の処理部を実現する。なお、当該プログラムＰＧ１は、ＵＳＢメモリなどの可搬性の記録媒体に記録され、当該記録媒体を介してＭＦＰ１０にインストールされるようにしてもよい。あるいは当該プログラムＰＧ１は、ネットワークＮＷ等を介してダウンロードされてＭＦＰ１０にインストールされるようにしてもよい。
【００３５】
具体的には、図２に示すように、コントローラ９は、プログラムＰＧ１の実行により、通信制御部１１と入力制御部１２と表示制御部１３と認証制御部１４とアクセス制御部１５と登録制御部１７とを含む各種の処理部を実現する。
【００３６】
通信制御部１１は、他の装置（ファイルサーバ５０等）との間の通信動作を制御する処理部である。たとえば、通信制御部１１は、通信部４等と協働して、ファイルサーバ５０にスキャン画像の画像データを送信する。
【００３７】
表示制御部１３は、表示部６ｂにおける表示動作を制御する処理部である。表示制御部１３は、ＭＦＰ１０を操作するための操作画面等を表示部６ｂに表示させる。
【００３８】
入力制御部１２は、操作入力部６ａに対する操作入力動作を制御する制御部である。入力制御部１２は、操作画面に対する操作入力を受け付ける動作を制御する。入力制御部１２は、認証情報受付部１２ａおよび登録用情報受付部１２ｂを備える。認証情報受付部１２ａは、ＭＦＰ１０に対するユーザのログイン情報（認証用情報）の入力を受け付ける処理部である。また、登録用情報受付部１２ｂは、ユーザによるアドレス帳ＡＬへの宛先登録に際して、登録対象の宛先に関する登録用情報の入力を受け付ける処理部である。
【００３９】
認証制御部１４は、ユーザからのＭＦＰ１０に対するログイン情報の入力を伴ってＭＦＰ１０の認証動作を行う処理部である。
【００４０】
アクセス制御部１５は、宛先に対するアクセス動作（ログイン動作を含む）を実行する処理部である。
【００４１】
登録制御部１７は、アドレス帳ＡＬに対する宛先の登録動作を実行する処理部である。登録制御部１７は、ユーザによって入力された登録用情報等に基づいて当該登録動作を実行する。
【００４２】
＜１−３．ファイルサーバ＞
ファイルサーバ５０ａ，５０ｂは、それぞれ、各種の電子ファイル（文書ファイル等）が格納されるサーバコンピュータである。
【００４３】
図４に示すように、ここでは、ファイルサーバ５０ａのＩＰアドレスは、「１２３．１２３．１２３．１００」であるものとする。当該ＩＰアドレスを用いることにより、ネットワーク上でファイルサーバ５０ａを特定することが可能である。ファイルサーバ５０ａは、「知財部サーバ」の名称を有しているものとする。さらに、ファイルサーバ５０ａには複数のフォルダが設けられており、フォルダ（「部内共有」、「部員￥Ａ川」、「部員￥Ｂ山」等）ごとにアクセス権限が設定されているものとする。具体的には、フォルダ「部内共有」に関しては、知財部員（ユーザＵＡ（「Ａ川」）およびユーザＵＢ（「Ｂ山」）を含む）によるアクセス（少なくともログインアクセス）が許容される旨のアクセス権限が設定されている。また、フォルダ「部員￥Ａ川」に関しては、ユーザＵＡ（「Ａ川」）によるアクセス（ログインアクセス等）のみが許容される旨のアクセス権限が設定されている。同様に、また、フォルダ「部員￥Ｂ山」に関しては、ユーザＵＢ（「Ｂ山」）によるアクセスのみが許容される旨のアクセス権限が設定されている。
【００４４】
また、ファイルサーバ５０ｂのＩＰアドレスは、ここでは、「１１１．１１１．１１１．１００」であるものとする。当該ＩＰアドレスを用いることにより、ネットワーク上でファイルサーバ５０ｂを特定することが可能である。ファイルサーバ５０ｂは、「開発部サーバ」の名称を有しているものとする。さらに、ファイルサーバ５０ｂには複数のフォルダが設けられており、フォルダ（「共有フォルダ」等）ごとにアクセス権限が設定されているものとする。具体的には、フォルダ「共有フォルダ」に関しては、開発部員（ユーザＵＥ等）によるアクセスが許容される旨のアクセス権限が設定されている。また、当該フォルダ「共有フォルダ」に関しては、ゲストＩＤによるアクセスも許容される旨のアクセス権限が設定されている。
【００４５】
ファイルサーバ５０ａ，５０ｂにおいては、このようなアクセス権限（ログイン情報）が予め登録されているものとする。
【００４６】
ところで、ＭＦＰ１０は、画像読取部２等を用いてスキャン画像等を生成し、各種の通信プロトコル（ＦＴＰ（File Transfer Protocol）およびＳＭＢ（Server Message Block）等）を用いて、当該スキャン画像を指定された宛先（指定ファイルサーバの指定フォルダ）に送信して格納する機能を有している。このような機能は、「スキャンｔｏＦＴＰ」および「スキャンｔｏＳＭＢ」等とも称される。
【００４７】
このようなスキャン画像等を送信する際には、上述のようにアドレス帳ＡＬ（複数の人物（ユーザ）で共用されるアドレス帳（共用アドレス帳）等）が利用される。具体的には、アドレス帳ＡＬに予め登録された宛先リストから所望の宛先（たとえば、ファイルサーバ５０ａのフォルダ「部内共有」）が操作ユーザによって選択され、選択された宛先に対する通信動作が行われる。
【００４８】
また、このようなアドレス帳機能を利用するため、このような送信動作に先立って、アドレス帳ＡＬへの宛先登録動作がユーザによって行われる。
【００４９】
具体的には、これらのファイルサーバ５０ａ，５０ｂ等に対してＭＦＰ１０からアクセスを行うためには、ＭＦＰ１０のアドレス帳ＡＬにファイルサーバ５０ａ，５０ｂのアドレス情報が予め登録される。アドレス帳には、一般的には、当該ファイルサーバ５０へのアクセス用のログイン情報も併せて登録される。
【００５０】
このとき、上述のように、第１のユーザ（たとえばユーザＵＡ）によって入力されたログイン情報がそのまま当該宛先のログイン情報としてアドレス帳に固定的に登録（誤登録）されてしまうことがある。そして、その場合には、当該登録ユーザとは別の第２のユーザ（たとえばユーザＵＢ）による当該宛先に対する通信動作が行われる際に、第２のユーザ（ＵＢ）が第１のユーザ（ＵＡ）として誤って認証されてしまうなどの問題が発生する。
【００５１】
そこで、この実施形態においては、アドレス帳ＡＬへの登録時に第１のユーザ（登録ユーザ）によって入力されたログイン情報が常に当該宛先のログイン情報としてアドレス帳ＡＬに固定的に登録されるのではない技術を提案する。具体的には、所定の条件Ｃ１が充足される際には、宛先（ネットワーク通信における通信先）の利用時にログインしているログインユーザ（たとえばユーザＵＢ）のＭＦＰ１０に対するログイン情報を当該宛先に対するログイン情報として使用する旨を当該宛先のログイン情報としてアドレス帳ＡＬに登録する。ここで、条件Ｃ１は、ユーザ（登録ユーザ）ＵＡによるログイン時に入力されたログイン情報ＬＭ１と当該ユーザＵＡによって登録画面を用いて入力された登録用情報に含まれるログイン情報ＬＭ２とが同一であること、である。条件Ｃ１は、より詳細には、ログイン情報ＬＭ１のログインＩＤとログイン情報ＬＭ２のログインＩＤとが同一であり、且つ、ログイン情報ＬＭ１のパスワードとログイン情報ＬＭ２のパスワードとが同一であること、である。
【００５２】
一般に、比較的多くのユーザは、画像形成装置のログイン情報と他の通信先装置のログイン情報とを同じ内容に設定している。この実施形態においては、そのような事情をも利用した動作が行われる。
【００５３】
＜１−４．アドレス帳への宛先登録動作＞
以下では、まず、アドレス帳ＡＬに所望の宛先（通信先）を登録する動作（宛先登録動作）について図３等を参照しながら説明する。なお、アドレス帳機能を利用した送信動作（図１２等参照）については後に説明する。
【００５４】
図３は、アドレス帳ＡＬへの宛先登録に関するＭＦＰ１０の動作を示すフローチャートである。なお、ここでは、図４に示すように、ユーザＵＡがＭＦＰ１０を操作して、ＭＦＰ１０内のアドレス帳ＡＬへの宛先登録操作を行うものとする。
【００５５】
まず、図３のステップＳ１１において、ＭＦＰ１０へのユーザＵＡのログイン動作が行われる。
【００５６】
詳細には、ＭＦＰ１０に対するユーザＵＡの認証用情報（ログイン情報）がユーザＵＡによってログイン画面ＬＡ１（図５参照）に入力される。より具体的には、ユーザＵＡは、ＭＦＰ１０のタッチパネル２５に表示されたログイン画面ＬＡ１において、ユーザＵＡのユーザＩＤとパスワードとをそれぞれユーザＩＤ入力欄とパスワード入力欄とに入力する。ＭＦＰ１０（認証情報受付部１２ａ等）は、ログイン画面ＬＡ１を用いることにより、ユーザＵＡによる入力情報（ユーザＵＡのログイン情報（ユーザＩＤおよびパスワード））を受け付ける。
【００５７】
図５は、ログイン画面ＬＡ１を示す図である。図５においては、ログイン画面ＬＡ１内のユーザＩＤ入力欄ＬＡ１１にユーザＵＡのユーザＩＤ「Ａｋａｗａ」が入力されるとともに、ログイン画面ＬＡ１内のパスワード入力欄ＬＡ１２にユーザＵＡのパスワード「１２３４５６」が入力された様子が示されている。なお、パスワード入力欄においては、入力された内容が表示されないように、代替文字（伏せ字）「＊＊＊＊＊＊」が表示されている（以下同様）。
【００５８】
さらに、ログイン画面ＬＡ１内のログインボタンＢＮ１が押下されると、ユーザＵＡのＭＦＰ１０に対する認証動作が認証制御部１４によって行われる。
【００５９】
具体的には、ＭＦＰ１０（認証制御部１４）は、ユーザＵＡの認証情報としてＭＦＰ１０内に予め登録されている正規のログイン情報とログイン画面ＬＡ１に入力されたログイン情報ＬＭ１とが一致するか否かを判定することによって、ユーザＵＡの認証動作を実行する。
【００６０】
詳細には、正規のユーザＩＤと入力欄ＬＡ１１に入力されたユーザＩＤとが一致し且つ正規のパスワードと入力欄ＬＡ１２に入力されたパスワードとが一致するときには、ユーザＵＡが正規ユーザとして認証されユーザＵＡのログインが許可される（認証成功）。一方、入力欄ＬＡ１１に入力されたユーザＩＤが正規のユーザＩＤのいずれとも一致しない場合、あるいは、入力欄ＬＡ１２に入力されたパスワードが入力欄ＬＡ１１に入力されたユーザＩＤの正規のパスワードと一致しない場合には、ユーザＵＡが正規ユーザではないとして判定されユーザＵＡのログインは許可されない（認証失敗）。ここでは、ユーザＵＡの認証が成功しユーザＵＡのログインが許可されたものとして説明を続ける。
【００６１】
ＭＦＰ１０にログインしたユーザＵＡは、所定のメニュー画面操作を行うことによって、アドレス帳ＡＬの登録画面ＲＧ（図６、図８、図１０等参照）をＭＦＰ１０のタッチパネル２５に表示させる（ステップＳ１２）。図６、図８、図１０は、それぞれ、アドレス帳ＡＬの登録画面ＲＧを示す図である。なお、各登録画面ＲＧがそれぞれ最初に表示された時点では、各登録画面ＲＧの各入力欄は空欄である。
【００６２】
そして、ステップＳ１３において、ユーザＵＡは、登録画面ＲＧを用いて、アドレス帳ＡＬへの登録対象の宛先に関する登録用情報を入力する。換言すれば、ＭＦＰ１０（登録用情報受付部１２ｂ）は、ステップＳ１１でのログイン情報ＬＭ１の入力に応じたユーザＵＡのログイン中において、アドレス帳ＡＬへの宛先登録に際して登録対象の宛先に関する登録用情報の入力をユーザＵＡから受け付ける。具体的には、登録対象の宛先に関する各種の情報（具体的には、「登録番号」、「登録名」、「ＩＰアドレス」、「ファイルパス」、「ユーザＩＤ」、「パスワード」）がそれぞれ登録画面ＲＧ内の各入力欄に対して入力される。なお、「ＩＰアドレス」および「ファイルパス」は、宛先を特定するための情報（宛先特定用情報）とも表現される。
【００６３】
たとえば、図６においては、「開発部サーバ」（ファイルサーバ５０ｂ）のフォルダ「共有フォルダ」に関する宛先登録を行う際の登録画面ＲＧ（ＲＧ１）が示されている。図６においては、登録画面ＲＧ１内の各入力欄に対して、それぞれ対応する内容が入力された様子が示されている。具体的には、登録画面ＲＧ１内の登録番号欄に「１」、登録名欄に「開発部サーバ」、ＩＰアドレス欄に「１１１．１１１．１１１．１００」、ファイルパス欄に「共有フォルダ」、ユーザＩＤ欄に「ｇｕｅｓｔ」、パスワード欄に「１２３」がそれぞれ入力された様子が示されている。ここでは、「開発部サーバ」の名称は、ファイルサーバ５０ｂの名称としても用いられるとともに、ファイルサーバ５０ｂのフォルダ「共有フォルダ」に関する宛先の名称としても用いられる。
【００６４】
同様に、図８においては、「知財部サーバ」（ファイルサーバ５０ａ）のフォルダ「部内共有」に関する宛先登録を行う際の登録画面ＲＧ（ＲＧ２）が示されている。図８においては、登録画面ＲＧ２の登録番号欄に「２」、登録名欄に「知財部サーバ」、ＩＰアドレス欄に「１２３．１２３．１２３．１００」、ファイルパス欄に「部内共有」、ユーザＩＤ欄に「Ａｋａｗａ」、パスワード欄に「１２３４５６」がそれぞれ入力された様子が示されている。ここでは、「知財部サーバ」の名称は、ファイルサーバ５０ａの名称としても用いられるとともに、ファイルサーバ５０ａのフォルダ「部内共有」に関する宛先の名称としても用いられる。
【００６５】
また、図１０においては、「知財部サーバ」（ファイルサーバ５０ａ）のフォルダ「部員￥Ａ川」に関する宛先登録を行う際の登録画面ＲＧ（ＲＧ３）が示されている。図１０においては、登録画面ＲＧ３の登録番号欄に「３」、登録名欄に「Ａ川個人用」、ＩＰアドレス欄に「１２３．１２３．１２３．１００」、ファイルパス欄に「部員￥Ａ川」、ユーザＩＤ欄に「Ａｋａｗａ」、パスワード欄に「１２３４５６」がそれぞれ入力された様子が示されている。
【００６６】
その後、登録画面ＲＧ内の登録ボタンＢＮ２が押下されると、入力内容が確定され、ステップＳ１５に進む。
【００６７】
ステップＳ１５では、登録画面ＲＧを用いて入力された宛先に対する接続確認動作がアクセス制御部１５等によって実行される。この接続確認動作は、ステップＳ１３で入力された登録用情報を用いて行われる。
【００６８】
たとえば、図８の登録画面ＲＧ２による登録動作が行われる際には、当該登録画面ＲＧ２を用いて入力された登録用情報に基づいて、「知財部サーバ」（ファイルサーバ５０ａ）のフォルダ「部内共有」に対する接続確認動作が実行される。具体的には、ＭＦＰ１０は、ＩＰアドレス「１２３．１２３．１２３．１００」およびファイルパス「部内共有」を用いて、ファイルサーバ５０ａにアクセスするとともに、認証情報として、ユーザＩＤ「Ａｋａｗａ」およびパスワード「１２３４５６」をファイルサーバ５０ａに送信する。ファイルサーバ５０ａは、ＭＦＰ１０から受信したログイン情報とファイルサーバ５０ａ内に予め登録されている正規のログイン情報とを比較して、認証動作を行い、その認証結果をＭＦＰ１０に返送する。
【００６９】
なお、他の登録画面ＲＧ１，ＲＧ３等による登録動作が行われる際にも同様の接続確認動作（認証動作）が行われる。
【００７０】
認証動作が失敗した場合には、ＭＦＰ１０は認証結果「ＮＧ」をファイルサーバ５０ａから受信した後、ステップＳ１７〜Ｓ２２の処理を行うことなく、図３の処理を終了する。認証動作が成功した場合には、ＭＦＰ１０は認証結果「ＯＫ」をファイルサーバ５０ａから受信し、ステップＳ１７に進む。ここでは、認証動作が成功してステップＳ１７に進むものとして、説明を続ける。なお、以後の動作（ステップＳ１７〜Ｓ２２）は、ＭＦＰ１０の登録制御部１７および表示制御部１３等によって行われる。
【００７１】
ステップＳ１７においては、ステップＳ１１でログイン画面ＬＡを用いて入力されたログイン情報ＬＭ１とステップＳ１３で登録画面ＲＧを用いて入力されたログイン情報（ユーザＩＤおよびパスワード）ＬＭ２とが同一であるか否かが判定される。換言すれば、ログイン画面ＬＡを用いて入力されたログイン情報ＬＭ１と登録画面ＲＧによって受け付けられた登録用情報に含まれるログイン情報ＬＭ２とが同一であるか否かが判定される。
【００７２】
両ログイン情報ＬＭ１，ＬＭ２が互いに異なると判定される場合には、ステップＳ１７からステップＳ１８に進む。ステップＳ１８，Ｓ１９では通常の登録動作が実行される。具体的には、登録内容を確認するための確認画面ＣＮが表示され（ステップＳ１８）、当該内容が確認された後に、当該登録内容がＭＦＰ１０内のアドレス帳ＡＬに登録される（ステップＳ１９）。
【００７３】
たとえば、図６の登録画面ＲＧ１に関する登録操作が行われる場合には、ステップＳ１７において、ログイン情報ＬＭ１（ユーザＩＤ「Ａｋａｗａ」およびパスワード「１２３４５６」）とログイン情報ＬＭ２（ユーザＩＤ「ｇｕｅｓｔ」およびパスワード「１２３」）とが互いに異なると判定され、ステップＳ１８に進む。そして、図７のような確認画面ＣＮ１が表示される。確認画面ＣＮ１においては、ログイン情報ＬＭ２がそのまま、登録番号「１」の宛先のログイン情報として（固定的に）登録される旨が示されている。ユーザＵＡが当該内容を確認してＯＫボタンＢＮ３を押下すると、ＭＦＰ１０は、ＯＫボタンＢＮ３の押下に応答して、登録番号「１」に関する登録動作を実行する。これにより、登録画面ＲＧ１を用いて入力された登録内容（ログイン情報ＬＭ２を含む登録内容）が当該宛先の宛先情報としてそのままアドレス帳ＡＬに登録される。
【００７４】
一方、両ログイン情報ＬＭ１，ＬＭ２が同一であると判定される場合には、ステップＳ１７からステップＳ２１に進む。ステップＳ２１，Ｓ２２では、次述するような登録動作等が実行される。具体的には、まず、登録対象の宛先に関する登録内容を確認するための確認画面ＣＮが表示され（ステップＳ２１）、当該内容が確認された後に、当該登録内容がＭＦＰ１０内のアドレス帳ＡＬに登録される（ステップＳ２２）。
【００７５】
ここにおいて、当該宛先のログイン情報としては、ログイン情報ＬＭ２がそのままアドレス帳ＡＬに登録されるのではない。当該宛先を使用する時点でＭＦＰ１０にログインしているユーザ（ログインユーザ）のログイン画面ＬＢ（図１４参照）（後述）で入力されるログイン情報が、当該宛先のログイン情報として使用すべき旨が登録される。
【００７６】
たとえば、図８の登録画面ＲＧ２に関する登録操作が行われる場合には、ステップＳ１７において、ログイン情報ＬＭ１（ユーザＩＤ「Ａｋａｗａ」およびパスワード「１２３４５６」）とログイン情報ＬＭ２（ユーザＩＤ「Ａｋａｗａ」およびパスワード「１２３４５６」）とが互いに同一であると判定され、ステップＳ２１に進む。そして、図９のような確認画面ＣＮ２が表示される。確認画面ＣＮ２においては、登録番号「２」の宛先のログイン情報として、ログイン情報ＬＭ２がそのまま登録されるのではなく、当該宛先使用時点でのログインユーザのＭＦＰ１０へのログイン情報が登録される旨が示されている。具体的には、当該宛先の将来の利用時点での（ＭＦＰ１０への）ログインユーザ（たとえば、登録ユーザＵＡとは別のユーザＵＢ）の（ＭＦＰ１０へのログイン用の）ユーザＩＤが「ユーザＩＤ」として登録され、当該ログインユーザの（ＭＦＰ１０へのログイン用の）パスワードが「パスワード」として登録される旨が示される。
【００７７】
図８と図９とを比較すると判るように、図９の確認画面ＣＮ２のログイン情報ＬＭ２（「ユーザＩＤ」および「パスワード」）は、図８の登録画面ＲＧ２のログイン情報ＬＭ１（「ユーザＩＤ」および「パスワード」）とは異なっている。
【００７８】
その後、ユーザＵＡは当該内容を確認してＯＫボタンＢＮ３を押下する。ＭＦＰ１０は、ＯＫボタンＢＮ３の押下に応答して、登録番号「２」に関する登録動作を実行する。これにより、登録画面ＲＧ２を用いて入力された登録内容のうちログイン情報ＬＭ２以外の内容は当該宛先の宛先情報としてそのままアドレス帳ＡＬに登録される。一方、登録画面ＲＧ２を用いて入力された登録内容のうちのログイン情報ＬＭ２は、当該宛先の宛先情報のうちのログイン情報としてそのまま登録されない。当該宛先の宛先情報のうちのログイン情報としては、登録画面ＲＧ２を用いて入力されたログイン情報ではなく、当該宛先使用時点でのログインユーザのＭＦＰ１０へのログイン情報を使用すべき旨が登録される。
【００７９】
同様に、図１０の登録画面ＲＧ３に関する登録操作が行われる場合には、ステップＳ１７において、ログイン情報ＬＭ１（ユーザＩＤ「Ａｋａｗａ」およびパスワード「１２３４５６」）とログイン情報ＬＭ２（ユーザＩＤ「Ａｋａｗａ」およびパスワード「１２３４５６」）とが互いに同一であると判定され、ステップＳ２１に進む。そして、図１１のような確認画面ＣＮ３が表示される。確認画面ＣＮ３においては、登録番号「３」の宛先のログイン情報として、ログイン情報ＬＭ２がそのまま登録されるのではなく、当該宛先使用時点でのログインユーザのＭＦＰ１０へのログイン情報が登録される旨が示されている。図１０と図１１とを比較すると判るように、図１１の確認画面ＣＮ３のログイン情報ＬＭ２は、図１０の登録画面ＲＧ３のログイン情報ＬＭ１とは異なっている。
【００８０】
その後、ユーザＵＡが当該内容を確認してＯＫボタンＢＮ３を押下すると、ＭＦＰ１０は、ＯＫボタンＢＮ３の押下に応答して、登録番号「３」に関する登録動作を実行する。これにより、登録画面ＲＧ３を用いて入力された登録内容のうちログイン情報ＬＭ２以外の内容は当該宛先の宛先情報としてそのままアドレス帳ＡＬに（固定的に）登録される。一方、当該宛先の宛先情報のログイン情報としては、登録画面ＲＧ３を用いて入力されたログイン情報ではなく、当該宛先使用時点でのログインユーザのＭＦＰ１０へのログイン情報を使用すべき旨が登録される。より詳細には、「当該宛先の将来の利用時（将来のネットワーク通信（スキャン画像送信等）における通信先としての利用時）にＭＦＰ１０にログインしているログインユーザ（たとえばユーザＵＢ）のＭＦＰ１０に対するログイン情報（たとえばＬＭ３（後述））を当該宛先の将来の利用時における当該宛先に対するログインアクセスに使用する」旨が、当該宛先のログイン情報としてアドレス帳ＡＬに登録される。このように、ログインユーザに依拠して柔軟に変更され得る非固定的な内容が、当該宛先のログイン情報としてアドレス帳ＡＬに登録される。
【００８１】
なお、本願においては、（登録画面ＲＧ３を用いて入力された固定的なログイン情報をそのまま使用するのではなく、）上述のように将来の宛先利用時点でのログインユーザ（ログイン中ユーザ）のＭＦＰ１０へのログイン情報（ログインユーザに依拠して柔軟に変更され得る非固定的な内容）を使用すべき旨が登録された宛先を、「非固定的ログイン宛先」あるいは「フレキシブルログイン宛先」とも称するものとする。また、当該宛先の「ユーザＩＤ」として登録される内容は、非固定的（フレキシブル）なユーザＩＤであることから、「非固定的ユーザＩＤ」あるいは「フレキシブルユーザＩＤ」とも称するものとする。同様に、当該宛先の「パスワード」として登録される内容は、非固定的（フレキシブル）なパスワードであることから、「非固定的パスワード」あるいは「フレキシブルパスワード」とも称するものとする。
【００８２】
＜１−５．アドレス帳の登録宛先を利用した送信動作＞
次に、アドレス帳機能を利用した送信動作について図１２等を参照しながら説明する。図１２は、アドレス帳ＡＬの登録宛先を利用した送信動作を示すフローチャートである。ここでは、上述の登録ユーザＵＡとは別のユーザＵＢ（使用ユーザ等とも称する）が、アドレス帳ＡＬに登録された宛先に対して電子ファイル（スキャン画像ファイル）のネットワーク送信動作を実行する場合を例示する（図１３も参照）。
【００８３】
図１２のステップＳ３１においては、上述の登録ユーザＵＡとは異なるユーザＵＢによるＭＦＰ１０へのログイン動作が行われる。ステップＳ３１の処理は、ステップＳ１１の処理と同様であるが、操作ユーザがユーザＵＡではなくユーザＵＢである点等において相違する。
【００８４】
詳細には、ＭＦＰ１０に対するユーザＵＢの認証用情報（ログイン情報ＬＭ３）がユーザＵＢによってログイン画面ＬＢ１（図１４参照）に入力される。より具体的には、ユーザＵＢは、ＭＦＰ１０のタッチパネル２５に表示されたログイン画面ＬＢ１において、ユーザＵＢのユーザＩＤとパスワードとをそれぞれユーザＩＤ入力欄ＬＢ１１とパスワード入力欄ＬＢ１２とに入力する。ＭＦＰ１０（認証情報受付部１２ａ）は、ログイン画面ＬＢ１を用いることにより、ユーザＵＢによる入力情報（ユーザＵＢのログイン情報（ここではユーザＩＤおよびパスワード））を受け付ける。
【００８５】
図１４は、ログイン画面ＬＢ１を示す図である。図１４においては、ログイン画面ＬＢ１内のユーザＩＤ入力欄ＬＢ１１にユーザＵＢのユーザＩＤ「Ｂｙａｍａ」が入力されるとともに、ログイン画面ＬＢ１内のパスワード入力欄ＬＢ１２にユーザＵＢのパスワード「１２３４５６７８９０」が入力された様子が示されている。
【００８６】
さらに、ログイン画面ＬＢ１内のログインボタンＢＮ４が押下されると、ユーザＵＢのＭＦＰ１０に対する認証動作が認証制御部１４によって行われる。ここでは、ユーザＵＢの認証が成功しユーザＵＢのログインが許可されたものとして説明を続ける。
【００８７】
ＭＦＰ１０にログインしたユーザＵＢは、メインメニュー画面内の複数のメニュー項目の中からメニュー項目「スキャン送信」を選択する（ステップＳ３２）。この選択操作に応じて、送信先選択画面ＳＤ（図１５等参照）がＭＦＰ１０のタッチパネル２５に表示される。なお、図１５は、送信先選択画面ＳＤ（ＳＤ１）を示す図である。送信先選択画面ＳＤにおいては、上述の登録処理によって登録された３つの宛先が送信先の選択肢として表示されている。
【００８８】
ユーザＵＢは、送信先選択画面ＳＤに表示された複数の選択肢の中から所望の選択肢（宛先）を選択する（ステップＳ３３）。これによってスキャン画像の送信先が指定される。
【００８９】
また、ユーザＵＢは、スキャン処理対象の原稿をＡＤＦ（オートドキュメントフィーダ：自動原稿送り装置）に或いは原稿載置面に載置した後に、送信ボタンＢＮ５を押下する（ステップＳ３４）。
【００９０】
この押下操作に応じて、ＭＦＰ１０（画像読取部２等）は、ＡＤＦ等に載置された原稿のスキャン動作を開始し、スキャン画像ファイルを生成する（ステップＳ３５）。
【００９１】
このスキャン画像の送信動作は、指定された宛先に関してアドレス帳ＡＬに登録されている情報（登録済情報とも称する）に基づいて行われる。
【００９２】
そのため、ステップＳ３６においては、ＭＦＰ１０（アクセス制御部１５等）は、ステップＳ３３で指定された宛先（指定宛先とも称する）のログイン情報（ユーザＩＤおよびパスワード）を確認する。具体的には、ステップＳ３３で指定された当該宛先のログイン情報として、（図７に示すように）固定的な内容がアドレス帳ＡＬに登録されているか、あるいは、（図９に示すように）非固定的な内容がアドレス帳ＡＬに登録されているかが判定される。換言すれば、ステップＳ３３で指定された宛先が上述の「フレキシブルログイン宛先」であるか否かが確認される。
【００９３】
指定宛先が通常の宛先（フレキシブルログイン宛先以外の宛先）である場合には、ステップＳ３７からステップＳ３９に進む。ステップＳ３９では、アドレス帳ＡＬに登録された当該指定宛先のログイン情報がそのまま使用されて、当該指定宛先に対するログインアクセス（ログイン動作）が実行される。
【００９４】
一方、指定宛先がフレキシブルログイン宛先である場合には、ステップＳ３７からステップＳ３８に進む。ステップＳ３８においては、当該指定宛先に対する電子ファイル（スキャン画像）のネットワーク送信動作時にＭＦＰ１０にログインしているログインユーザＵＢのＭＦＰ１０に対するログイン情報を使用して、当該指定宛先に対するログインアクセス（ログイン動作）が実行される。
【００９５】
なお、ステップＳ３６〜Ｓ３９の処理は、ＭＦＰ１０のアクセス制御部１５等によって実行される。
【００９６】
その後、ステップＳ３８あるいはステップＳ３９から、ステップＳ４１に進む。指定宛先へのログインが成功した場合には、ステップＳ４２に進み、ＭＦＰ１０（通信制御部１１およびアクセス制御部１５等）は、スキャン画像を当該指定宛先に送信し、送信結果（送信成功）を示す結果表示画面ＳＲを表示する。一方、指定宛先へのログインが失敗した場合には、ステップＳ４３に進み、ＭＦＰ１０（通信制御部１１およびアクセス制御部１５等）は、送信結果（送信エラー）を示す結果表示画面ＳＲを表示する。
【００９７】
たとえば、ステップＳ３３において図１５に示すように登録番号「１」の宛先「開発部サーバ」が送信対象として選択されて送信ボタンＢＮ５が押下される場合には、当該宛先「１」がフレキシブルログイン宛先ではない旨がステップＳ３７で判定されて、ステップＳ３７からステップＳ３９に進む。そして、アドレス帳ＡＬに登録された当該指定宛先のログイン情報（ユーザＩＤ「ｇｕｅｓｔ」およびパスワード「１２３」）がそのまま使用され、当該指定宛先（「開発部サーバ」）に対するログイン動作が実行される（ステップＳ３９）。このログイン動作の際には、当該指定宛先の宛先特定用情報（具体的には、ＩＰアドレス「１１１．１１１．１１１．１００」およびファイルパス「共有フォルダ」）も利用される。そして、ログインに成功した後、スキャン画像の送信動作が実行され、図１６に示すような結果表示画面ＳＲ１が表示される（ステップＳ４２）。図１６の結果表示画面ＳＲ１においては、スキャン画像の送信動作が正常に終了したことが示されている。また、結果表示画面ＳＲ１においては、通信動作に利用された各種の情報（「ＩＰアドレス」、「ファイルパス」、「ユーザＩＤ」、「パスワード」）も示されている。
【００９８】
また、ステップＳ３３において図１７に示すように登録番号「２」の宛先「知財部サーバ」が送信対象として選択されて送信ボタンＢＮ５が押下される場合には、当該宛先（指定宛先）「２」が「フレキシブルログイン宛先」である旨がステップＳ３７で判定されて、ステップＳ３７からステップＳ３８に進む。そして、当該指定宛先「２」に対するファイル送信動作（ここではスキャン画像送信動作）時にログインしているログインユーザＵＢのログイン情報（ユーザＩＤ「Ｂｙａｍａ」およびパスワード「１２３４５６７８９０」）を使用して当該指定宛先に対するログイン動作が実行される（ステップＳ３８）。このログイン動作の際には、当該指定宛先の宛先特定用情報（具体的には、ＩＰアドレス「１２３．１２３．１２３．１００」およびファイルパス「部内共有」）も利用される。そして、ログインに成功した後、スキャン画像の送信動作が実行され、図１８に示すような結果表示画面ＳＲ２が表示される（ステップＳ４２）。図１８の結果表示画面ＳＲ２においては、スキャン画像の送信動作が正常に終了したことが示されているとともに、通信動作に利用された各種の情報（「ＩＰアドレス」、「ファイルパス」、「ユーザＩＤ」、「パスワード」）も示されている。
【００９９】
同様に、ステップＳ３３において図１９に示すように登録番号「３」の宛先「Ａ川個人用」が送信対象として選択されて送信ボタンＢＮ５が押下される場合には、当該宛先（指定宛先）「３」が「フレキシブルログイン宛先」である旨がステップＳ３７で判定されて、ステップＳ３７からステップＳ３８に進む。そして、当該指定宛先「３」に対するファイル送信動作（ここではスキャン画像送信動作）時にログインしているログインユーザＵＢのログイン情報（ユーザＩＤ「Ｂｙａｍａ」およびパスワード「１２３４５６７８９０」）を使用して当該指定宛先に対するログイン動作が実行される（ステップＳ３８）。このログイン動作の際には、当該指定宛先の宛先特定用情報（具体的には、ＩＰアドレス「１２３．１２３．１２３．１００」およびファイルパス「部員￥Ａ川」）も利用される。ただし、この場合には、ユーザＵＢは当該宛先に関するログイン権限を有していないため、ログインに失敗する。その後、図２０に示すような結果表示画面ＳＲ３が表示される（ステップＳ４３）。図２０の結果表示画面ＳＲ３においては、スキャン画像の送信動作においてエラーが発生したこと（詳細にはログインできなかったこと）が示されているとともに、通信動作に利用された各種の情報（「ＩＰアドレス」、「ファイルパス」、「ユーザＩＤ」、「パスワード」）も示されている。
【０１００】
以上のような動作によれば、たとえば、ステップＳ１３（図３）にて登録画面ＲＧ２（図８）を用いて入力されたログイン情報ＬＭ２と、ログイン中ユーザのログイン情報ＬＭ１とが互いに同一であると判定される場合においては、その登録対象の宛先は「フレキシブルログイン宛先」としてアドレス帳ＡＬに登録される。ユーザＵＡによって入力されたログイン情報ＬＭ２がそのまま登録されるのではない。
【０１０１】
その後、アドレス帳ＡＬに登録された宛先が通信先として指定されて通信動作が行われる際において、指定された宛先が「フレキシブルログイン宛先」である場合には、当該通信動作時におけるログインユーザＵＢのログイン情報ＬＭ３が用いられる。したがって、ユーザＵＡにより入力されたログイン情報ＬＭ２がアドレス帳ＡＬにそのまま登録される場合に生じ得る諸問題を回避することが可能である。たとえば、ユーザＵＢがユーザＵＡとして誤って認証されてしまうなどの問題を回避することができる。
【０１０２】
なお、第１実施形態においては、ステップＳ１５における接続確認が成功した場合にのみ、アドレス帳ＡＬへの登録動作が行われる態様が例示されているが、これに限定されない。たとえば、ステップＳ１５における接続確認を行うことなく、アドレス帳ＡＬへの登録動作が行われるようにしてもよい。
【０１０３】
＜２．第２実施形態＞
第２実施形態は、第１実施形態の変形例である。以下では、第１実施形態との相違点を中心に説明する。
【０１０４】
図２１は、第２実施形態に係るＭＦＰ１０（１０Ｂとも称する）の機能ブロックを示す図である。図２１に示すように、第２実施形態に係るＭＦＰ１０（１０Ｂ）のコントローラ９（９Ｂとも称する）は、アクセス試行部１６をさらに備える。
【０１０５】
第２実施形態においては、ＭＦＰ１０Ｂのアクセス試行部１６（図２１参照）等によって、アドレス帳ＡＬにおける登録対象の宛先に対するログインアクセス（ログイン動作）が試行される。具体的には、ユーザＵＡのＭＦＰ１０に対するログイン情報ＬＭ１と、アドレス帳ＡＬの宛先登録に際してユーザＵＡによって入力された登録用情報に含まれる宛先特定用情報（「ＩＰアドレス」および「ファイルパス」）とを用いて、当該ログインアクセスが試行される。そして、所定の条件Ｃ２が充足される場合には、当該宛先が「フレキシブルログイン宛先」としてアドレス帳ＡＬに登録される。ここで、条件Ｃ２は、当該ログイン情報ＬＭ１等による当該宛先に対するログインアクセスの試行が成功することである。
【０１０６】
以下では、図２２等を参照しながら、アドレス帳ＡＬに所望の宛先（通信先）を登録する動作（宛先登録動作）について説明する。なお、アドレス帳機能を利用した送信動作は第１実施形態と同様である。
【０１０７】
図２２は、アドレス帳ＡＬへの宛先登録に関するＭＦＰ１０（１０Ｂ）の動作を示すフローチャートである。ここでは、第１実施形態と同様に、ユーザＵＡがＭＦＰ１０を操作して、ＭＦＰ１０内のアドレス帳ＡＬへの宛先登録操作を行うものとする。
【０１０８】
まず、図２２のステップＳ５１において、ＭＦＰ１０ＢへのユーザＵＡのログイン動作が行われる。この動作は、図３のステップＳ１１と同様の動作である。たとえば、このログイン動作において、ＭＦＰ１０Ｂに対するユーザＵＡの認証用情報（ログイン情報ＬＭ１）がユーザＵＡによってログイン画面ＬＡ１（図５参照）に入力される。そして、当該ログイン情報ＬＭ１を用いた認証動作が認証制御部１４によって行われる。ここでは、ユーザＵＡの認証が成功しユーザＵＡのログインが許可されたものとして説明を続ける。
【０１０９】
ＭＦＰ１０ＢにログインしたユーザＵＡは、所定のメニュー画面操作においてメニュー項目「アドレス帳登録」を選択することによって、アドレス帳ＡＬの登録画面ＲＧ（図２３、図２６等参照）をＭＦＰ１０Ｂのタッチパネル２５に表示させる（ステップＳ５２）。図２３、図２６は、それぞれ、アドレス帳ＡＬの登録画面ＲＧ（ＲＧ１１，ＲＧ１２）を示す図である。
【０１１０】
そして、ステップＳ５３において、ユーザＵＡは、登録画面ＲＧを用いて、アドレス帳ＡＬへの登録対象の宛先に関する登録用情報を入力する。具体的には、登録対象の宛先に関する各種の情報（具体的には、「登録番号」、「登録名」、「ＩＰアドレス」、「ファイルパス」）がそれぞれ登録画面ＲＧ内の各入力欄に対して入力される。なお、この登録画面ＲＧでは、「ユーザＩＤ」、「パスワード」は入力されない。
【０１１１】
たとえば、図２３においては、「開発部サーバ」（ファイルサーバ５０ｂ）のフォルダ「共有フォルダ」に関する宛先登録を行う際の登録画面ＲＧ（ＲＧ１１）が示されている。図２３においては、登録画面ＲＧ１１内の各入力欄に対して、それぞれ対応する内容が入力された様子が示されている。具体的には、登録画面ＲＧ１１内の登録番号欄に「１」、登録名欄に「開発部サーバ」、ＩＰアドレス欄に「１１１．１１１．１１１．１００」、ファイルパス欄に「共有フォルダ」がそれぞれ入力された様子が示されている。
【０１１２】
同様に、図２６においては、「知財部サーバ」（ファイルサーバ５０ａ）のフォルダ「部内共有」に関する宛先登録を行う際の登録画面ＲＧ（ＲＧ１２）が示されている。図２６においては、登録画面ＲＧ１２の登録番号欄に「２」、登録名欄に「知財部サーバ」、ＩＰアドレス欄に「１２３．１２３．１２３．１００」、ファイルパス欄に「部内共有」がそれぞれ入力された様子が示されている。
【０１１３】
さらに、登録画面ＲＧ（ＲＧ１１，ＲＧ１２等）内の登録ボタンＢＮ２１が押下されると、ステップＳ５５に進む。
【０１１４】
ステップＳ５５では、登録画面ＲＧを用いて入力された宛先に対する接続確認動作が実行される。この接続確認動作は、ステップＳ５３で入力された登録用情報（宛先特定情報）とステップＳ５１で入力された（ユーザＵＡのＭＦＰ１０Ｂに対する）ログイン情報ＬＭ１とを用いて、アクセス試行部１６等によって行われる。
【０１１５】
ステップＳ５６では、認証結果に応じた分岐処理が実行される。
【０１１６】
ステップＳ５５の接続確認動作（認証動作）が失敗した場合には、ＭＦＰ１０Ｂは、認証結果「ＮＧ」をファイルサーバ５０ａから受信し、ステップＳ５６からステップＳ５７に進む。ステップＳ５７〜Ｓ５９では、通常の登録動作が、ＭＦＰ１０Ｂの登録制御部１７および表示制御部１３等によって行われる。
【０１１７】
一方、ステップＳ５５の接続確認動作（認証動作）が成功した場合には、ＭＦＰ１０Ｂは認証結果「ＯＫ」をファイルサーバ５０ａから受信し、ステップＳ５６からステップＳ６１に進む。そして、登録内容が確認（ステップＳ６１）された後に、フレキシブルログイン宛先として宛先をアドレス帳ＡＬに登録する動作（ステップＳ６２）が、ＭＦＰ１０Ｂの登録制御部１７および表示制御部１３等によって行われる。
【０１１８】
たとえば、図２６の登録画面ＲＧ１２による登録動作が行われる際には、まず、ステップＳ５５において、「知財部サーバ」（ファイルサーバ５０ａ）のフォルダ「部内共有」に対する接続確認動作が次のようにして実行される。
【０１１９】
具体的には、ステップＳ５３で入力された宛先特定情報（ＩＰアドレス「１２３．１２３．１２３．１００」およびファイルパス「部内共有」）を用いて、ＭＦＰ１０Ｂ（アクセス試行部１６）は、ファイルサーバ５０ａへアクセスする。また、ＭＦＰ１０Ｂ（アクセス試行部１６）は、認証情報として、ステップＳ５１で入力されたログイン情報ＬＭ１（ユーザＩＤ「Ａｋａｗａ」およびパスワード「１２３４５６」）をファイルサーバ５０ａに送信する。ファイルサーバ５０ａは、ＭＦＰ１０Ｂから受信したログイン情報ＬＭ１とファイルサーバ５０ａ内に予め登録されている正規のログイン情報とを比較して認証動作を行い、その認証結果をＭＦＰ１０Ｂに返送する。
【０１２０】
上述のように、ユーザＵＡは、この宛先（ファイルサーバ５０ａのフォルダ「部内共有」）に対するログイン権限を有している。そのため、ファイルサーバ５０ａにおける当該認証動作は成功し、ファイルサーバ５０ａは、認証成功を示す認証結果をＭＦＰ１０Ｂに送信する。
【０１２１】
ＭＦＰ１０Ｂは、当該認証結果を受信すると、「認証動作が成功した」旨を判定する。そして、処理はステップＳ６１に進む。
【０１２２】
ステップＳ６１では、図２７のような確認画面ＣＮ１２が登録制御部１７および表示制御部１３等によって表示される。確認画面ＣＮ１２においては、登録番号「２」の宛先のログイン情報（「ユーザＩＤ」および「パスワード」）として、当該宛先使用時点でのログインユーザ（たとえばユーザＵＢ）のＭＦＰ１０Ｂへのログイン情報が登録される旨が示されている。換言すれば、当該宛先の「ユーザＩＤ」として「フレキシブルユーザＩＤ」が登録され且つ当該宛先の「パスワード」として「フレキシブルパスワード」が登録される旨が示されている。
【０１２３】
その後、ユーザＵＡが当該内容を確認してＯＫボタンＢＮ３を押下すると、ＭＦＰ１０Ｂ（登録制御部１７）は、ＯＫボタンＢＮ３の押下に応答して、登録番号「２」に関する登録動作を実行する（ステップＳ６２）。これにより、登録画面ＲＧ１２を用いて入力された登録用情報（具体的には、「登録番号」、「登録名」、「ＩＰアドレス」、「ファイルパス」）は当該宛先の宛先情報としてそのままアドレス帳ＡＬに登録される。ただし、当該宛先の宛先情報のログイン情報（「ユーザＩＤ」および「パスワード」）としては、当該宛先使用時点でのログインユーザのＭＦＰ１０Ｂへのログイン情報を使用すべき旨が登録される。詳細には、当該宛先の「ユーザＩＤ」としては「フレキシブルユーザＩＤ」が登録され、当該宛先の「パスワード」としては「フレキシブルパスワード」が登録される。
【０１２４】
図２６の登録画面ＲＧ１２による登録動作が行われる際には、以上のような動作が行われる。
【０１２５】
また、たとえば、図２３の登録画面ＲＧ１１に関する登録操作が行われる場合には、ステップＳ５５において、「開発部サーバ」（ファイルサーバ５０ｂ）のフォルダ「共有フォルダ」に対する接続確認動作が次のようにして実行される。具体的には、ステップＳ５３で入力された宛先特定情報（ＩＰアドレス「１１１．１１１．１１１．１００」およびファイルパス「共有フォルダ」）を用いて、ＭＦＰ１０Ｂ（アクセス試行部１６）は、ファイルサーバ５０ｂへアクセスする。また、ＭＦＰ１０Ｂ（アクセス試行部１６）は、認証情報として、ステップＳ５１で入力されたログイン情報ＬＭ１（ユーザＩＤ「Ａｋａｗａ」およびパスワード「１２３４５６」）をファイルサーバ５０ｂに送信する。ファイルサーバ５０ｂは、ＭＦＰ１０Ｂから受信したログイン情報ＬＭ１とファイルサーバ５０ｂ内に予め登録されている正規のログイン情報とを比較して、認証動作を行い、その認証結果をＭＦＰ１０Ｂに返送する。
【０１２６】
ここにおいて、ユーザＵＡは、この宛先（ファイルサーバ５０ｂのフォルダ「共有フォルダ」）に対するログイン権限を有していない。そのため、ファイルサーバ５０ｂにおける当該認証動作は失敗し、ファイルサーバ５０ｂは、認証失敗を示す認証結果をＭＦＰ１０Ｂに送信する。
【０１２７】
ＭＦＰ１０Ｂは、当該認証結果を受信すると、「認証動作が失敗した」旨を判定する。そして、処理はステップＳ５７に進む。
【０１２８】
ステップＳ５７では、ＭＦＰ１０Ｂ（表示制御部１３および登録用情報受付部１２ｂ）は、当該宛先に関する追加登録用情報（宛先のログイン情報）の入力用の入力画面ＲＬ１１（図２４）をタッチパネル２５に表示する。ユーザＵＡは、当該入力画面ＲＬ１１を用いて当該宛先の登録用のログイン情報を入力する。登録用情報受付部１２ｂは、当該入力画面ＲＬ１１を用いてユーザＵＡから入力された当該宛先の登録用のログイン情報を受け付ける。
【０１２９】
図２４においては、ユーザＩＤ欄に「ｇｕｅｓｔ」、パスワード欄に「１２３」がそれぞれ入力された様子が示されている。その後、登録ボタンＢＮ２２が押下されると、入力内容が確定され、ステップＳ５８に進む。
【０１３０】
ステップＳ５８，Ｓ５９では通常の登録動作が実行される。具体的には、登録内容を確認するための確認画面ＣＮが表示され（ステップＳ５８）、当該内容が確認された後に、当該登録内容がＭＦＰ１０Ｂ内のアドレス帳ＡＬに登録される（ステップＳ５９）。
【０１３１】
より詳細には、ステップＳ５８では、図２５のような確認画面ＣＮ１１が表示される。確認画面ＣＮ１１においては、登録番号「１」の宛先のログイン情報（「ユーザＩＤ」および「パスワード」）として、ステップＳ５７で入力された登録用ログイン情報が登録される旨が示されている。
【０１３２】
その後、ユーザＵＡが当該内容を確認してＯＫボタンＢＮ３を押下すると、ＭＦＰ１０Ｂは、ＯＫボタンＢＮ３の押下に応答して、登録番号「１」に関する登録動作を実行する（ステップＳ５９）。これにより、登録用情報を入力するための登録画面ＲＧ１１，ＲＬ１１を用いて入力された登録用情報（具体的には、「登録番号」、「登録名」、「ＩＰアドレス」、「ファイルパス」、「ユーザＩＤ」および「パスワード」）が当該宛先の宛先情報としてそのままアドレス帳ＡＬに登録される。
【０１３３】
図２３の登録画面ＲＧ１１による登録動作が行われる際には、このような動作が行われる。
【０１３４】
このような登録動作後においては、第１実施形態と同様に、アドレス帳機能を利用した送信動作が行われる（図１２参照）。
【０１３５】
以上のような態様によれば、ステップＳ５３（図２２）にて登録画面ＲＧ１２（図２６）を用いて入力された宛先特定情報とステップＳ５１で入力されたログイン情報ＬＭ１とを用いて、登録対象の宛先に対するログインアクセス（ログイン動作）がＭＦＰ１０Ｂのアクセス試行部１６（図２１参照）によって試行される。そして、登録時にログインしているログインユーザＵＡのログイン情報ＬＭ１による当該宛先に対するログインアクセスが成功する場合には、当該宛先は「フレキシブルログイン宛先」としてアドレス帳ＡＬに登録される。この場合、宛先に関するログイン情報が自動的に登録されるため、ユーザＵＡは当該宛先のログイン情報を再入力することを要しない。したがって、操作性を向上させることが可能である。
【０１３６】
また、その後、アドレス帳ＡＬに登録された宛先が通信先として指定されて通信動作が行われる際において、指定された宛先が「フレキシブルログイン宛先」である場合には、当該通信動作時におけるログインユーザＵＢのログイン情報ＬＭ３が用いられる。したがって、第１実施形態と同様の効果を得ることも可能である。
【０１３７】
＜３．変形例等＞
以上、この発明の実施の形態について説明したが、この発明は上記説明した内容のものに限定されるものではない。
【０１３８】
たとえば、上記各実施形態においては、ＭＦＰ１０内のアドレス帳ＡＬに宛先が登録される場合について説明したが、これに限定されず、ＭＦＰ１０の外部装置内のアドレス帳（たとえば、図２８の認証サーバ内にて記憶されるアドレス帳）ＡＬに宛先が登録される場合に上記の思想が適用されるようにしてもよい。図２８は、このような変形例に係る画像形成システムの構成を示す概略図である。図２８に示されるように、当該画像形成システムにおいては、認証サーバ７０がさらに設けられており、当該認証サーバ７０内にアドレス帳ＡＬが格納されている。
【０１３９】
図２８の認証サーバ７０内にて格納されるアドレス帳ＡＬへの登録動作は、ＭＦＰ１０の登録制御部１７および通信部４等によって、ネットワークＮＷを介して実行されればよい。また、ＭＦＰ１０におけるスキャン画像に関する通信動作（ファイル送信動作）時においては、ＭＦＰ１０（詳細にはアクセス制御部１５等）は、図２８の認証サーバ内にて記憶されるアドレス帳ＡＬに対してネットワークＮＷを介してアクセスすればよい。そして、ＭＦＰ１０（アクセス制御部１５等）は、当該アドレス帳ＡＬに記憶された当該宛先に関する情報を取得し、当該取得された情報に基づいて当該宛先（ファイルサーバ５０ａ，５０ｂ等）にアクセスすればよい。
【符号の説明】
【０１４０】
１  画像形成システム
１０  ＭＦＰ（画像形成装置）
２５  タッチパネル
５０，５０ａ，５０ｂ  ファイルサーバ
７０  認証サーバ
ＡＬ  アドレス帳
ＣＮ，ＣＮ１〜ＣＮ３，ＣＮ１１，ＣＮ１２  確認画面
ＬＡ，ＬＢ  ログイン画面
ＲＧ，ＲＧ１、ＲＧ１１，ＲＧ１２  登録画面
ＳＤ，ＳＤ１  送信先選択画面
ＳＲ，ＳＲ１〜ＳＲ３  結果表示画面
【図１】
2015052910.tif 000003
【図２】
2015052910.tif 000004
【図３】
2015052910.tif 000005
【図４】
2015052910.tif 000006
【図５】
2015052910.tif 000007
【図６】
2015052910.tif 000008
【図７】
2015052910.tif 000009
【図８】
2015052910.tif 000010
【図９】
2015052910.tif 000011
【図１０】
2015052910.tif 000012
【図１１】
2015052910.tif 000013
【図１２】
2015052910.tif 000014
【図１３】
2015052910.tif 000015
【図１４】
2015052910.tif 000016
【図１５】
2015052910.tif 000017
【図１６】
2015052910.tif 000018
【図１７】
2015052910.tif 000019
【図１８】
2015052910.tif 000020
【図１９】
2015052910.tif 000021
【図２０】
2015052910.tif 000022
【図２１】
2015052910.tif 000023
【図２２】
2015052910.tif 000024
【図２３】
2015052910.tif 000025
【図２４】
2015052910.tif 000026
【図２５】
2015052910.tif 000027
【図２６】
2015052910.tif 000028
【図２７】
2015052910.tif 000029
【図２８】
2015052910.tif 000030